(57)【特許請求の範囲】
【請求項１】
作業腕を備えた旋回フレームが履帯走行式の走行台車の上に旋回自在に支持されてなる車両本体と、前記作業腕の先端部に設けられた水平なアタッチメント連結ピンを介して揺動され、地下埋設物の切断により得られたブロック状の撤去物を昇降させる作業アタッチメントとからなり、前記作業アタッチメントが、前記作業腕の先端部に設けられた水平なアタッチメント連結ピンを支点として揺動される揺動フレームと、この揺動フレームに案内されて昇降される昇降フレームを備え、この昇降フレームから突出し、載せられた撤去物を昇降させる撤去物積載体を備えてなるリフターと、前記昇降フレームにより支持され、前記撤去物積載体の上に載せるために前記撤去物を引寄せる鉤状の引掛部材をロッドの先端に備えた引寄せシリンダとからなることを特徴とする構築物撤去搬送車両。
【請求項２】
複数階の地下の各階の地下埋設物を撤去する構築物撤去搬送車両による地下埋設物の撤去工法であって、先ず吊持して地上から構築物撤去搬送車両を地下１階部分に移動させ、地下１階部分の地下埋設物を切断し、切断により得られたブロック状の撤去物を引寄せシリンダによりリフターの撤去物積載体の上に引寄せると共にリフターを所定の高さにしてブロック状の撤去物を地下１階部分の撤去物下ろし場所に搬送することを繰返し、地下１階部分の地下埋設物の撤去終了後に、吊持して地下１階部分から構築物撤去搬送車両を地下２階部分に移動させ、この地下２階部分の地下埋設物を切断し、切断により得られたブロック状の撤去物を引寄せシリンダによりリフターの撤去物積載体の上に引寄せると共にリフターを所定の高さにしてブロック状の撤去物を地下２階部分の撤去物下ろし場所に搬送するということを繰返して、地下各階の壁等の地下埋設物を撤去することを特徴とする請求項１に記載の構築物撤去搬送車両による地下埋設物の撤去工法。
【発明の詳細な説明】
【０００１】
【発明の属する技術分野】
本発明は、特に複数階の地下の地下埋設物を高能率で撤去することを可能ならしめるようにした構築物撤去搬送車両および構築物撤去搬送車両による地下埋設物の撤去工法の技術分野に属するものである。
【０００２】
【従来の技術】
従来から、地下のコンクリート壁等の地下埋設物を撤去する場合、地下埋設物であるコンクリート壁をワイヤーソーにより所定の大きさのブロック状に切断し、ブロック状に切断されたコンクリート塊である撤去物を重量鳶と呼ばれている専門の作業者等の人手によりジャッキアップして撤去していた。
【０００３】
【発明が解決しようとする課題】
上記従来例に係る地下埋設物の撤去作業によれば、複数階の地下の各階のコンクリート壁等をブロック状に切断し、得られた撤去物は、上記のとおり、主として人手により撤去しているために、地下埋設物の撤去作業能率の向上、安全性の向上、撤去コストの削減が困難であった。勿論、地下では高さ制限があるので、それなりの高さのマストを有するフォークリフトを使用することにより、地下埋設物の撤去作業の工期の短縮、安全性の向上、撤去コストの削減が可能になる。しかしながら、地下埋設物の撤去作業現場は逆打ち工法であるために、撤去物を搬出するための搬出路盤が掘削路盤であって、タイヤ走行式のフォークリフトでは走行が困難であるのに加えて、たとえ走行できたとしても撤去物をフォークの上に載せるために、撤去物を地切りさせなければならず、それほど撤去作業能率の向上、安全性の向上、撤去コストの削減に寄与することができないという解決すべき課題があった。
【０００４】
従って、本発明は、地下のコンクリート壁等の地下埋設物の撤去作業能率の向上、安全性の向上、撤去コストの削減を可能ならしめる構築物撤去搬送車両および構築物撤去搬送車両による地下埋設物の撤去工法の提供を目的とする。
【０００５】
【課題を解決するための手段】
本発明は、上記実情に鑑みてなされたものであって、従って上記課題を解決するために本発明の請求項１に係る構築物撤去搬送車両が採用した手段は、作業腕を備えた旋回フレームが履帯走行式の走行台車の上に旋回自在に支持されてなる車両本体と、前記作業腕の先端部に設けられた水平なアタッチメント連結ピンを介して揺動され、地下埋設物の切断により得られたブロック状の撤去物を昇降させる作業アタッチメントとからなり、前記作業アタッチメントが、前記作業腕の先端部に設けられた水平なアタッチメント連結ピンを支点として揺動される揺動フレームと、この揺動フレームに案内されて昇降される昇降フレームを備え、この昇降フレームから突出し、載せられた撤去物を昇降させる撤去物積載体を備えてなるリフターと、前記昇降フレームにより支持され、前記撤去物積載体の上に載せるために前記撤去物を引寄せる鉤状の引掛部材をロッドの先端に備えた引寄せシリンダとからなることを特徴とする。
【０００６】
また、本発明の請求項２に係る構築物撤去搬送車両による地下埋設物の撤去工法の要旨は、複数階の地下の各階の地下埋設物を撤去する構築物撤去搬送車両による地下埋設物の撤去工法であって、先ず吊持して地上から構築物撤去搬送車両を地下１階部分に移動させ、地下１階部分の地下埋設物を切断し、切断により得られたブロック状の撤去物を引寄せシリンダによりリフターの撤去物積載体の上に引寄せると共にリフターを所定の高さにしてブロック状の撤去物を地下１階部分の撤去物下ろし場所に搬送することを繰返し、地下１階部分の地下埋設物の撤去終了後に、吊持して地下１階部分から構築物撤去搬送車両を地下２階部分に移動させ、この地下２階部分の地下埋設物を切断し、切断により得られたブロック状の撤去物を引寄せシリンダによりリフターの撤去物積載体の上に引寄せると共にリフターを所定の高さにしてブロック状の撤去物を地下２階部分の撤去物下ろし場所に搬送するということを繰返して、地下各階の壁等の地下埋設物を撤去することを特徴とする請求項１に記載の構築物撤去搬送車両による地下埋設物の撤去工法である。
【０００７】
【発明の実施の形態】
以下、本発明の実施の形態に係る構築物撤去搬送車両を、撤去物の引寄せ前の状態を示し、かつ作業アタッチメントを断面で示すその側面図の図１と、撤去物の引寄せ時の状態を示すその平面図の図２と、撤去物の撤去手順説明図の図３乃至図８とを順次参照しながら説明する。
【０００８】
即ち、図１と図２とに示す符号１は、エンジン駆動により走行する車両本体であって、この車両本体１は、幅方向の両側に履帯２ａ，２ａを有する走行台車２を備えている。この走行台車２の上には、運転者席３ａが設けられ、この運転者席３ａの反対側の後方にエンジンルーム３ｂとカウンターウェイト３ｃとが搭載されると共に、幅方向の中心であってかつ斜め前方に突出する一対の板部材からなる作業腕４が突設されてなる旋回フレーム３が垂直軸心回りに左右旋回自在に搭載されている。このように、車両本体１を履帯走行式としたのは、接地面圧を低くすると共に、搬出路盤がたとえ凹凸のある掘削路盤であっても安定走行させることを狙いとしたものである。
【０００９】
前記作業腕４の先端部には、上部ブラケット１１ａに水平なアタッチメント連結ピン４ａ，４ａを介して後述する作業アタッチメント１０が揺動可能に支持されている。即ち、この作業アタッチメント１０は、作業腕４を構成する一対の板部材の相反する側面のそれぞれに突設されてなるシリンダ連結ピン４ｂ，４ｂにボトム側が連結されると共に、この作業アタッチメント１０の旋回フレーム３側の背面に突設された下部ブラケット１１ｂにロッド連結ピン５ａ，５ａを介してロッドの先端が連結されてなるアタッチメント作動シリンダ５，５のロッドの伸縮によって、前記アタッチメント連結ピン４ａ，４ａを揺動支点として揺動されるように構成されている。
【００１０】
そして、前記作業アタッチメント１０は、作業腕４の先端部に設けられた水平な前記アタッチメント連結ピン４ａ，４ａを揺動支点として揺動される揺動フレーム１１と、この揺動フレーム１１に案内されて昇降する昇降フレーム１２ｂを備えると共に、この昇降フレーム１２ｂから前方側に突出し、載せられた撤去物２０を昇降させる撤去物積載体１２ａを備えてなるリフター１２と、前記昇降フレーム１２ｂに直交する状態で支持され、縮小により撤去物２０を引寄せて撤去物積載体１２ａの上に載せる鉤状の引掛部材１５ａをロッドの先端に備えた引寄せシリンダ１５とから構成されている。なお、図２から良く理解されるように、前記撤去物積載体１２ａは平板状であるが、例えばフォークリフトのように二股状に形成されていても良い。
【００１１】
前記揺動フレーム１１の内側には上向きのロッドの伸縮で昇降フレーム１２ｂを昇降させる一対の１段リフトシリンダ１３，１３が配設されると共に、昇降フレーム１２ｂの内側には下向きのロッドの伸縮で撤去物積載体１２ａを昇降させる一対の２段リフトシリンダ１４，１４が配設されている。つまり、このリフター１２の撤去物積載体１２ａは１段リフトシリンダ１３，１３および２段リフトシリンダ１４，１４のロッドの伸縮によって２段構えで昇降されるように構成されている。ところで、このように撤去物積載体１２ａを２段構えで昇降させるようにしたのは、この撤去物積載体１２ａをより高く上昇させて、撤去物２０が如何なる高さにあっても撤去し得るように配慮したためである。勿論、撤去物積載体１２ａを一対のリフトシリンダで昇降させる１段構えの構成にしたとしても、それなりの昇降機能を発揮することができるので、リフトシリンダの段数によって本発明の技術的思想の範囲が限定されるものではない。なお、図２において、揺動フレーム１１の幅方向の両側に付設されてなるものは、撤去物積載体１２ａが積載されたときの構築物撤去搬送車両の安定性を確保するためのジャッキシリンダ１６である。
【００１２】
以下、上記構成になる構築物撤去搬送車両による地下埋設物の撤去工法を、図３乃至図８を順次参照しながら説明すると、先ず、構築物撤去搬送車両は吊持されて撤去作業を行う階に下ろされる。そして、図３に示すように、地下埋設物であるコンクリート壁をワイヤーソーにより１５トン以下の重量のブロック状に切断し、切断により得られた撤去物２０の側面にケミカルアンカー施工で取り付けられるボルトによってラッチプレート２１を取付けると共に、コンクリート壁の下部側面に撤去物積載体１２ａの先端が実質的に当接する位置まで構築物撤去搬送車両を走行姿勢で接近させる。なお、コンクリート壁は通常のコンクリートカッターで切断しても良い。
【００１３】
図４に示すように、リフター１２の撤去物積載体１２ａの上面が撤去物２０の切断面より少し下側位置になるまで１段リフトシリンダのロッドの伸長または２段リフトシリンダのロッドの縮小により撤去物積載体１２ａを上昇させると共に、この撤去物積載体１２ａと共に上昇した引寄せシリンダ１５のロッドを伸長させて、そのロッドの先端に設けられた引掛部材１５ａをラッチプレート２１に引掛ける。なお、コンクリート壁の切断面が傾斜している場合には、アタッチメント作動シリンダ５のロッドが伸縮されて、撤去物積載体１２ａの角度がコンクリート壁の切断面の傾斜角度に合わせられる。
【００１４】
そして、引寄せシリンダ１５のロッドを縮小させると、図５に示すように、撤去物２０は作業アタッチメント１０の方向に引寄せられて撤去物積載体１２ａの上に移動すると共に、この撤去物積載体１２ａの作業アタッチメント１０側の側面が揺動フレーム１１の正面に当接する。これにより、撤去物２０は作業アタッチメント１０に強固に固定され、凹凸のある掘削路盤であるが故に走行に際して構築物撤去搬送車両が揺れたとしても、撤去物２０が作業アタッチメント１０のリフター１２から外れて転落するようなことがない。
【００１５】
このようにして作業アタッチメント１０側の側面が揺動フレーム１１の正面に当接すると、図６に示すように、撤去物積載体１２ａを更に上昇させる共に、図７に示すように、構築物撤去搬送車両をコンクリート壁から離反する方向、つまり後退させて走行姿勢になるように撤去物積載体１２ａを下降させる。
【００１６】
そして、図８に示すように、構築物撤去搬送車両を目的とする撤去物下ろし場所に移動させるが、その場所には、予め撤去物積載体１２ａの幅よりも広い間隔で、例えば盤木等からなる一対の受台２３が配設されている。そこで、撤去物積載体１２ａを一対の受台２３の間に下降させて、一対の受台により撤去物２０が支えられると、構築物撤去搬送車両を後退させる。このようにして、受台２３の上に荷下ろされた撤去物２０は、ラッチプレート２１を利用して、クレーン等で吊持されると共に、例えばトレーラに積載される。その後、再使用に供するためにラッチプレート２１が取外された撤去物２０はトレーラにより所定の場所に運搬される。なお、搬出路盤の傾斜状況に応じてアタッチメント作動シリンダ５のロッドが伸長され、撤去物積載体１２ａの角度が変更される。
【００１７】
以下、地下埋設物の全ての撤去が終了するまで同様な作業が繰返されるのであるが、本実施の形態に係る構築物撤去搬送車両によれば、従来例に係る地下埋設物の撤去作業のように、複数階の地下の撤去物を重量鳶等の専門作業者の入手によりジャッキアップして撤去する必要がなく、１段リフトシリンダまたは２段リフトシリンダのロッドの伸縮による撤去物積載体１２ａの昇降動作と、引寄せシリンダ１５のロッドの伸縮動作により、地切りするまでもなく撤去物２０を撤去物積載体１２ａの上に載せることができる。
【００１８】
そして、撤去物積載体１２ａの上に載せた撤去物２０を引寄せシリンダ１５の引寄せ力により作業アタッチメント１０に強固に固定した状態で撤去物２０をリフター１２から落下させることなく搬送して撤去することができるので、地下埋設物の撤去作業能率の向上、安全性の向上、撤去コストの削減が可能になる。
【００１９】
また、本実施の形態に係る構築物撤去搬送車両によれば、フォークリフトのようにタイヤ走行式でなく履帯走行式であるために、撤去物を搬送する搬出路盤がたとえ凹凸の多い掘削路盤であったとしても、安定走行して撤去物２０を搬出することができるという極めて優れた効果がある。
【００２０】
ところで、撤去作業現場の状況によっては構築物撤去搬送車両をコンクリート壁に直角に向けられないことがある。その場合には、作業状況説明図の図９に示すように、撤去物積載体１２ａの先端角度をコンクリート壁と構築物撤去搬送車両との向きに応じた角度にし、上記と同様の作業手順で撤去物２０を引寄せて撤去物積載体１２ａの上に載せれば良い。
【００２１】
また、撤去物２０の位置に構築物撤去搬送車両を近づけることができない場合には、作業状況説明図の図１０に示すように、ラッチプレート２１にワイヤーロープ２２の一端を結び付けると共に、その他端を引寄せシリンダ１５のロッドの先端に設けられている引掛部材１５ａに引掛けて構築物撤去搬送車両を後退させることにより撤去物２０を移動させる。次いで、この構築物撤去搬送車両を撤去物２０に接近させて、上記と同様の作業手順で撤去物２０を引寄せて撤去物積載体１２ａの上に載せれば良い。
【００２２】
なお、以上では、構築物撤去搬送車両を地下埋設物の撤去作業に適用した場合を説明したが、構築物撤去搬送車両を地上のコンクリート構築物の撤去にも適用することができるし、さらにクレーン車が入れない場所でのカルバート搬送・設置、共同坑内における型枠搬送、トンネル内工事における各種機材の搬送あるいは護岸工事における大型パネル型枠の搬送等、種々の工事に活用することができるので、本発明に係る構築物撤去搬送車両の用途は上記地下埋設物の撤去工法への適用に限定されるものではない。
【００２３】
【発明の効果】
以上詳述したように、本発明の請求項１に係る構築物撤去搬送車両および請求項２に係る構築物撤去搬送車両による地下埋設物の撤去工法によれば、従来例に係る地下埋設物の地下埋設物の撤去作業のように、複数階の地下の撤去物を入手によりジャッキアップして撤去する必要がなく、撤去物積載体の昇降動作と、引寄せシリンダのロッドの伸縮動作により、地切りするまでもなく撤去物を撤去物積載体の上に載せると共に作業アタッチメントに強固に固定して、搬出路盤がたとえ掘削路盤であっても、撤去物をリフターから落下させることなく安定走行して撤去することができるので、地下埋設物の撤去作業能率の向上、安全性の向上、撤去コストの削減が可能になるという極めて優れた効果がある。
【図面の簡単な説明】
【図１】本発明の実施の形態に係り、撤去物の引寄せ前の状態を示し、かつ作業アタッチメントを断面で示す構築物撤去搬送車両の側面図である。
【図２】本発明の実施の形態に係り、撤去物の引寄せ時の状態を示す構築物撤去搬送車両の平面図である。
【図３】本発明の実施の形態に係る撤去物の撤去手順説明図である。
【図４】本発明の実施の形態に係る撤去物の撤去手順説明図である。
【図５】本発明の実施の形態に係る撤去物の撤去手順説明図である。
【図６】本発明の実施の形態に係る撤去物の撤去手順説明図である。
【図７】本発明の実施の形態に係る撤去物の撤去手順説明図である。
【図８】本発明の実施の形態に係る撤去物の撤去手順説明図である。
【図９】本発明の実施の形態に係る作業状況説明図である。
【図１０】本発明の実施の形態に係る作業状況説明図である。
【符号の説明】
１…車両本体，２…走行台車，２ａ…履帯，３…旋回フレーム，３ａ…運転者席，３ｂ…エンジンルーム，３ｃ…カウンターウエイト，４…作業腕，４ａ…アタッチメント連結ピン，４ｂ…シリンダ連結ピン，５…アタッチメント作動シリンダ，５ａ…ロッド連結ピン
１０…作業アタッチメント，１１…揺動フレーム，１１ａ…上部ブラケット，１１ｂ…下部ブラケット，１２…リフター，１２ａ…撤去物積載体，１２ｂ…昇降フレーム，１３…１段リフトシリンダ，１４…２段リフトシリンダ，１５…引寄せシリンダ，１５ａ…引掛部材，１６…ジャッキシリンダ
２０…撤去物，２１…ラッチプレート，２２…ワイヤーロープ，２３…受台
【図１】
0003807778.tif 000002
【図２】
0003807778.tif 000003
【図３】
0003807778.tif 000004
【図４】
0003807778.tif 000005
【図５】
0003807778.tif 000006
【図６】
0003807778.tif 000007
【図７】
0003807778.tif 000008
【図８】
0003807778.tif 000009
【図９】
0003807778.tif 000010
【図１０】
0003807778.tif 000011